(57)【要約】      （修正有）【課題】支持物の量が多くても少なくても安定した状態に立て掛けておくことができる支持スタンドを提供する。【解決手段】支持スタンドは、左右側支持部１、２と底支持部３とにより構成され、左側支持部１の下部に底支持部の下方に隙間Ｓを開けてこの底支持部の一側辺３ａが連結され、右側支持部２の下部に底支持部の下方に隙間Ｓを開けてこの底支持部の他側辺３ｂが連結されたものとし、底支持部の中間または中間付近に一側辺および他側辺と平行な折曲部４が設けられており、底支持部に支持物が載置されていない状態では、この底支持部が折曲部から下方に折れ曲がり、左右側支持部の上端部の当接部１ｂ、２ｂどうしが当接するようにしており、底支持部に支持物が載置されている状態では、この底支持部が折れ曲がった状態から平坦状態になっていき、左右側支持部の上端部の当接部どうしが開き、これら当接部が支持物に当接するようにしている。【選択図】図１
0003229885.tif 000002
【実用新案登録請求の範囲】
【請求項１】
左右側支持部と底支持部とにより構成され、
前記左側支持部には、下部に前記底支持部の下方に隙間を開けてこの底支持部の一側辺が連結され、前記右側支持部には、下部に前記底支持部の下方に隙間を開けてこの底支持部の他側辺が連結されたものとすると共に、
前記底支持部には、中間または中間付近に一側辺および他側辺と平行な折曲部が設けられており、
前記底支持部に支持物が載置されていない状態では、この底支持部が折曲部から下方に折れ曲がり、前記左右側支持部の上端部の当接部どうしが当接するようにしており、
前記底支持部に支持物が載置されている状態では、この底支持部が前記折れ曲がった状態から平坦状態になっていき、前記左右側支持部の上端部の当接部どうしが開き、これら当接部が前記支持物に当接するようにしていることを特徴とする支持スタンド。
【請求項２】
前記左右側支持部のそれぞれ上端を外側に曲げて指掛け部を形成し、これら指掛け部の下方における前記左右側支持部の上端部に、支持物の当接部を設けていることを特徴とする請求項１に記載の支持スタンド。
【請求項３】
前記左右側支持部のそれぞれ下端を内側から外側にかけてアール形状にした接地部としていることを特徴とする請求項１または２に記載の支持スタンド。
【考案の詳細な説明】
【技術分野】
【０００１】
本考案は、書物やファイルなどの支持物の量が多くても少なくても安定した状態に立て掛けておくことができる支持スタンドに関するものである。
【背景技術】
【０００２】
従来、この種の支持スタンドとしては、図７に示したように、一枚の弾性を有する垂直平板を屈曲した一垂直背面形成部１１、およびこの垂直背面形成部１１の両側から鋭角をなす方向に伸延する一対の垂直側面形成部１２、１３よりなる略二等辺三角形の断面の垂直筒体を形成したものが存在する（特許文献１）。
【０００３】
前記支持スタンドは、腰の弱い一冊の書物を収納する場合であっても、一対の垂直側面形成部１２、１３の自由伸延端が両鋭角形成部に発生する弾性復元力を利用して、書物の自由端側（綴じていない側）を弾性的に挟持することによって、その書物に十分な自立力を付与することができるとしている。また、前記支持スタンドは、所定数の書物を収納する場合であっても、両鋭角形成部における弾性復元力は書物挿入部の拡開に比例して大きくなるので、十分な挟持力によって書物は自立保持されるとしている。
【０００４】
さらに、この種の支持スタンドとしては、図８に示したように、机上や棚の上に置かれる基部２１と、この基部２１に設けられた固定支持部２２と、固定支持部２２に対して接近離反可能な可動支持部２３とを備え、固定支持部２２と可動支持部２３との間に、クリアファイルを挟むことによってクリアファイルの倒れを防止するようにしたものが存在する（特許文献２）。
【０００５】
前記支持スタンドは、回動腕２４の下端が基部２１に対して下部接続部２５によって回動可能に接続され、回動腕２４の上端が可動支持部２３に対して上部接続部２６によって回動可能に接続され、回動腕２４は、直立位置から前方の前方範囲と、後方の後方範囲との双方の範囲におい回動可能にしているため、回動腕２４を前方に回動させることによって、可動支持部２３が前進して、固定支持部２２との間にクリアファイルを挟むことができる。また、回動腕２４を後方に回動させることによって、可動支持部２３が後退して、固定支持部２２との距離が開き、クリアファイルの差し込みが容易となるとしている。そして、クリアファイルを抜き取る場合には、クリアファイルを引き抜くだけで、容易に取り出すことができるとしている。
【先行技術文献】
【特許文献】
【０００６】
【特許文献１】実公昭５９−３７０７６号公報
【特許文献２】特開２０１４−２２６１９２号公報
【考案の概要】
【考案が解決しようとする課題】
【０００７】
しかしながら、特許文献１に記載された支持スタンドでは、一対の垂直側面形成部１２、１３の自由伸延端は、両鋭角形成部に発生する弾性復元力を利用して、書物の自由端側を弾力に挟持するとしているが、製作段階での弾性復元力の初期設定が困難であり、弾性復元力を弱くし過ぎてしまうと、書物を挟持する力が弱くなってしまい、逆に弾性復元力を強くし過ぎると、書物を挟持する力が強くなって書物が抜き難くなったり、複数の書物を挟持し難くなったりするという課題を有していた。
【０００８】
さらに、特許文献２に記載された支持スタンドでは、固定支持部２２にクリアファイルを立て掛け、そのクリアファイルを可動支持部２３で押さえ付けるつけることによって、固定支持部２２と可動支持部２３の間にクリアファイルを挟み込んでいるので、可動支持部２３側からしか挟む力が作用していないので、クリアファイルを挟む力が弱すぎたりして、クリアファイルを挟んでいる状態が不安定であるという課題を有していた。
【０００９】
そこで、本考案は、上記従来の課題を解決するものであり、書物やファイルなどの支持物の量に応じた挟持力で挟持することができ、しかもこれら支持物の量が多くても少なくても安定した状態に挟んでおくことができる支持スタンドを提供することを目的としてなされたものである。
【課題を解決するための手段】
【００１０】
そのため、本考案の支持スタンドは、左右側支持部１、２と底支持部３とにより構成されている。前記左側支持部１には、下部に前記底支持部３の下方に隙間Ｓを開けてこの底支持部３の一側辺３ａが連結されている。前記右側支持部２には、下部に前記底支持部３の下方に隙間Ｓを開けてこの底支持部３の他側辺３ｂが連結されている。前記底支持部３には、中間または中間付近に一側辺３ａおよび他側辺３ｂと平行な折曲部４が設けられている。そして、前記底支持部３に支持物Ｗが載置されていない状態では、この底支持部３が折曲部４から下方に折れ曲がり、前記左右側支持部１、２の上端部の当接部１ｂ、２ｂどうしが当接するようにしている。前記底支持部３に支持物Ｗが載置されている状態では、この底支持部３が前記折れ曲がった状態から平坦状態になっていき、前記左右側支持部１、２の上端部の当接部１ｂ、２ｂどうしが開き、これら当接部１ｂ、２ｂが前記支持物Ｗに当接するようにしている。
【００１１】
さらに、本考案の支持スタンドにおいて、前記左右側支持部１、２のそれぞれ上端を外側に曲げて指掛け部１ａ、２ａを形成し、これら指掛け部１ａ、２ａの下方における前記左右側支持部１、２の上端部に、支持物Ｗの当接部１ｂ、２ｂを設けている。
【００１２】
また、本考案の支持スタンドにおいて、前記左右側支持部１、２のそれぞれ下端を内側から外側にかけてアール形状にした接地部１ｃ、２ｃとしている。
【考案の効果】
【００１３】
本考案の支持スタンドは、以上に述べたような構成としているので、書物やファイルなどの支持物の量が多ければ、この量に応じて強い挟持力で挟持することができ、それらの支持物の量が少なければ、その量に応じて弱い挟持力で挟持することができる。
【００１４】
したがって、本考案の支持スタンドは、書物やファイルなどの支持物の量が多くても少なくても安定した状態に挟んで、これらの支持物を立て掛けておくことができるものとなる。
【図面の簡単な説明】
【００１５】
【図１】本考案の支持スタンドの斜視図である。
【図２】本考案の支持スタンドの正面図である。
【図３】本考案の支持スタンドの平面図である。
【図４】本考案の支持スタンドの側面図である。
【図５】本考案の支持スタンドの使用状態を示す斜視図である。
【図６】本考案の支持スタンドの使用状態を示す正面図である。
【図７】従来の支持スタンドの一例の使用状態を示す斜視図である。
【図８】従来の支持スタンドの他例の斜視図である。
【考案を実施するための形態】
【００１６】
以下、本考案の支持スタンドを実施するための形態を、図面に基づいて詳細に説明する。
【００１７】
本考案の支持スタンドは、合成樹脂材から作製されるのが好ましく、左右側支持部１、２と底支持部３とにより構成されている。左右側支持部１、２は、図示したものでは略四角枠形状としているが、略四角板形状などとしてもよい。底支持部３は、図示したものでは略四角板形状としているが、略四角枠形状などとしてもよい。また、略四角板形状とした左右側支持部１、２や底支持部３には、全面に複数の小さな円形や四角形などの孔（図示せず）を設けたり、略中央部に大きな円形や四角形などの孔（図示せず）を設けたりすることができる。このようにすることにより、合成樹脂の使用量を減らしたり、軽量化したりすることができる。
【００１８】
前記左側支持部１には、下部に前記底支持部３の下方に隙間Ｓを開けてこの底支持部３の一側辺３ａが連結され、前記右側支持部２には、下部に前記底支持部３の下方に隙間Ｓを開けてこの底支持部３の他側辺３ｂが連結されたものとしている。この隙間Ｓは、後に述べる底支持部３の折曲部４での折れ曲がりに必要な空間となる。前記左側支持部１と前記底支持部３とは、略直角に連結され、前記右側支持部２と前記底支持部３とは、略直角に連結されている。
【００１９】
前記左右側支持部１、２は、それぞれ上端を外側に曲げて指掛け部１ａ、２ａを形成し、これら指掛け部１ａ、２ａの下方における前記左右側支持部１、２の上端部の内側面に、書物やファイルなどの支持物Ｗの当接部１ｂ、２ｂを設けている。指掛け部１ａ、２ａは、支持物Ｗを支持するときに指を掛けて、左右側支持部１、２の間を拡げ易くするためのものである。また、当接部１ｂ、２ｂは、ゴムなどの摩擦抵抗の大きいゴム板（図示せず）を左右側支持部１、２の内側面に貼り付けたものなどとすることができ、後に述べるように左右側支持部１、２の当接部１ａ、２ａどうしが離間して支持物Ｗに当接したときに、この支持物Ｗを押圧しておくものである。
【００２０】
さらに、前記左右側支持部１、２は、それぞれ下端を内側から外側にかけてアール形状にした接地部１ｃ、２ｃとしている。このようにした接地部１ｃ、２ｃは、下端の外側が接地し、支持スタンドを安定した状態で起立させておくことができる。また、前記左右側支持部１、２は、それぞれ下端を外側に曲げた接地部１ｃ、２ｃとすることもできる。このようにした接地部１ｃ、２ｃは、支持スタンドの幅ｗを広げて、支持スタンドをより安定した状態で起立させておくことができるものとなる。
【００２１】
前記底支持部３には、中間または中間付近に一側辺３ａおよび他側辺３ｂと平行な折曲部４が設けられている。前記折曲部４は、図示したものでは、前記底支持部３を左側底支持部５と右側底支持部６との二分割体とし、これら二分割体を上下方向に揺動自在に軸支したヒンジとしており、このヒンジで折れ曲がるものとしている。また、前記折曲部４は、前記底支持部３を合成樹脂板とし、中間または中間付近に肉薄部とした折れ線を形成したものとし、この折れ線で折れ曲がるものなどとすることができる。
【００２２】
本考案の支持スタンドの大きさは、この支持スタンドに支持しようとする支持物Ｗの大きさに応じて決定される。例えば、Ａ４サイズの書物やファイルなどの支持物Ｗを支持する場合には、幅ｗを８〜１６ｃｍ、高さｈを１５〜２５ｃｍ、奥行きｄを１２〜１８ｃｍなどとすることができるが、これらの寸法に限定されることはない。
【００２３】
そして、本考案の支持スタンドでは、図１〜４に示したように、前記底支持部３に支持物Ｗが載置されていない状態では、この底支持部３が折曲部４から下方に折れ曲がり、前記左右側支持部１、２の上端部の当接部１ｂ、２ｂどうしが当接するようにしている。
【００２４】
さらに、本考案の支持スタンドでは、図５、６に示したように、前記底支持部３に支持物Ｗが載置されている状態では、この底支持部３が前記折れ曲がった状態から平坦状態になっていき、前記左右側支持部１、２の上端部の当接部１ｂ、２ｂどうしが開き、これら当接部１ｂ、２ｂが前記支持物Ｗに当接するようにしている。
【００２５】
このように構成された本考案の支持スタンドは、以下のようにして使用される。
【００２６】
まず、本考案の支持スタンドを、図１に示したように、書物やファイルなどの支持物Ｗを支持したい場所に置く。そして、左右側支持部１、２の指掛け部１ａ、２ａに指を掛け、図５に示したように、左右側支持部１、２の上端部の当接部１ｂ、２ｂを開く。すると、同図に示したように、底支持部３が折れ曲がった状態から平坦状態になっていく。
【００２７】
そこで、前記左右側支持部１、２の開いた当接部１ｂ、２ｂの間から前記支持物Ｗを挿入し、その支持物Ｗの底部を底支持部３に置く。すると、前記支持物Ｗの量に関わらず、その支持物Ｗの底部が底支持部３に突き当たると同時に、前記左右側支持部１、２の当接部１ｂ、２ｂが閉じていき、前記支持物Ｗの両側部に当接する。
【００２８】
この場合、前記支持物Ｗの量に応じて、その重さが異なるが、その支持物Ｗの重力に応じた押圧力で、前記左右側支持部１、２の当接部１ｂ、２ｂが前記支持物Ｗの両側部に当接することになる。すなわち、前記支持物Ｗの量が多ければ、その重力に応じた強い押圧力で左右側支持部１、２の当接部１ｂ、２ｂが前記支持物Ｗの両側部に当接することになり、前記支持物Ｗの量が少なければ、その重力に応じた弱い力で左右側支持部１、２の当接部１ｂ、２ｂが前記支持物Ｗの両側部に当接することになる。
【００２９】
したがって、本考案の支持スタンドでは、前記支持物Ｗの量が多くても少なくても安定した状態に立て掛けておくことができるものとなる。
【符号の説明】
【００３０】
１  左側支持部
１ａ  指掛け部
１ｂ  当接部
１ｃ  接地部
２  右側支持部
２ａ  指掛け部
２ｂ  当接部
２ｃ  接地部
３  底支持部
３ａ  一辺部
３ｂ  他辺部
４  折曲部
Ｓ  隙間
Ｗ  支持物
【図１】
0003229885.tif 000003
【図２】
0003229885.tif 000004
【図３】
0003229885.tif 000005
【図４】
0003229885.tif 000006
【図５】
0003229885.tif 000007
【図６】
0003229885.tif 000008
【図７】
0003229885.tif 000009
【図８】
0003229885.tif 000010